Podtech/llm-jp-corpus-v4-ja_patent huggingface dataset:
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
血管または血管グラフトからの血管アクセスデバイスの離脱を検知するためのシステムであって、
血管または血管グラフトの第１の部位の中へ、第１の導管を通して流体を提供し、かつ、血管または血管グラフトの第２の部位から第２の導管を通して流体を受けるための流体送達デバイスと、
第１の導管は、第１のカテーテルを第１の部位で第１のチューブセグメントに接続する第１のコネクタを含み、第２の導管は、第２のカテーテルを第２のチューブセグメントに接続する第２のコネクタを含み、
第１の導管のルーメンと接触している第１の電極と、
第２の導管のルーメンと接触している第２の電極と、
第１および第２の電極に接続され、第１および第２の電極の間の流体の電気抵抗を測定するために第１および第２の電極に制御信号を送達するように構成された電子回路と、を備え、電子回路が、
第１および第２の電極にそれぞれ接続された第１の端子ＶＴＡおよび第２の端子ＶＴＢと、
既知の参照抵抗ＲＲｅｆと、第１の端子と第２の端子との間に接続された流体の未知の抵抗Ｒｘとによって形成された分圧回路に電気的に接続された交換網であって、第１の参照電圧Ｖ＋および第２の参照電圧Ｖ−を分圧回路に接続するために、第１のスイッチ構成と第２のスイッチ構成との間で切り替わるように配置構成された交換網と、
分圧回路に接続された第１の参照電圧Ｖ＋および第２の参照電圧Ｖ−のそれぞれに対して、分圧回路の中間点で電圧Ｖｓｅｎｓｅを測定するための電圧測定回路と、を備え、
電子回路は、既知の参照抵抗ＲＲｅｆと、第１および第２のスイッチ構成のそれぞれに対して測定された電圧Ｖｓｅｎｓｅとに基づいて、未知の抵抗Ｒｘの値を決定するように構成されることを特徴とする、システム。
【請求項２】
未知の抵抗Ｒｘは、第１の端子ＶＴＡに接続された第１のキャパシタＣ１および第２の端子ＶＴＢに接続された第２のキャパシタＣ２によって、分圧回路内へ結合されているにことを特徴とする、請求項１に記載のシステム。
【請求項３】
流体送達デバイスは、ポンプおよび血液透析血流回路を含むことを特徴とする、請求項１に記載のシステム。
【請求項４】
第１および第２のカテーテルは第１および第２のチューブセグメントよりも短いことを特徴とする、請求項１に記載のシステム。
【請求項５】
第１のコネクタは第１の電極を備え、第２のコネクタは第２の電極を備えていることを特徴とする、請求項４に記載のシステム。
【請求項６】
第１の導管は、流体を移送するための第１のルーメンと、第１の電極を電子回路に接続するワイヤを移送するための第２のルーメンとを有する二重ルーメン可撓チューブを含んでなることを特徴とする、請求項１に記載のシステム。
【請求項７】
電極間の電気抵抗を表わす信号を電子回路から受信するように構成されたコントローラであって、電気抵抗値が予め決められた閾値を超えたときに警告信号を引き起こすようにプログラムされているコントローラをさらに含んでなる、請求項１に記載のシステム。
【請求項８】
警告信号はチューブオクルーダ装置への電気的な命令を含んでなることと、チューブオクルーダ装置は導管を閉鎖するように配置および構成された機械式オクルーダを備えていることとを特徴とする、請求項７に記載のシステム。
【請求項９】
請求項１に記載のシステムであって、電子回路は、
第１端において第１の端子ＶＴＡに接続され、かつ、第２端において既知の参照抵抗Ｒｒｅｆの第１端に接続された第１のキャパシタＣ１と、
第１端において第２の端子ＶＴＢに接続された第２のキャパシタＣ２と、を備え、
交換網は、
第１のスイッチ構成において、第１の参照電圧Ｖ＋を既知の参照抵抗Ｒｒｅｆの第２端に接続し、かつ、第２の参照電圧Ｖ−を第２のキャパシタＣ２の第２端に接続し、
第２のスイッチ構成において、第２の参照電圧Ｖ−を第２のキャパシタＣ２の第２端に接続し、かつ、第２の参照電圧Ｖ−を既知の参照抵抗Ｒｒｅｆの第２端に接続する、
ように構成されており、
電圧測定回路は、第１のキャパシタＣ１と既知の参照抵抗Ｒｒｅｆとの間の接続時に、電圧Ｖｓｅｎｓｅを測定するように構成されることを特徴とする、システム。
【請求項１０】
既知の参照抵抗Ｒｒｅｆは血管内注入に適した電解質溶液の伝導度測定を可能にするように選択されることを特徴とする、請求項９に記載のシステム。
【請求項１１】
電解質溶液は透析用溶液からなることを特徴とする、請求項１０に記載のシステム。
【請求項１２】
既知の参照抵抗Ｒｒｅｆは、第１および第２の電極の間のある量の血液の抵抗の測定を可能にするように選択されることを特徴とする、請求項９に記載のシステム。
【請求項１３】
第１の参照電圧Ｖ＋は第２の参照電圧Ｖ−よりも大きいことを特徴とする、請求項１に記載のシステム。
【請求項１４】
既知の参照抵抗器Ｒｒｅｆは、第１の電極と第２の電極との間の流体の電気抵抗の範囲の端点の幾何平均と等しいことを特徴とする、請求項１に記載のシステム。
【請求項１５】
交換網は１対のマルチプレクサを含み、電圧測定回路は、増幅器およびアナログ・デジタル変換器を含むことを特徴とする、請求項１に記載のシステム。
【手続補正２】
【補正対象書類名】明細書
【補正対象項目名】発明の名称
【補正方法】変更
【補正の内容】
【発明の名称】血管または血管グラフトからの血管アクセスデバイスの離脱を検知するためのシステム
【手続補正書】
【提出日】平成27年6月5日(2015.6.5)
【手続補正１】
【補正対象書類名】明細書
【補正対象項目名】０００５
【補正方法】変更
【補正の内容】
【０００５】
しかしながら、上記特許文献１に記載されている遊技機においては、左右方向から可動役物を移動させて中央で当接させるように構成しているが、近年は表示装置に表示される画像上に始動記憶（保留）表示が行われるため、可動役物の移動により始動記憶（保留）表示が隠れて確認出来ない状態が発生するという課題がある。
【手続補正２】
【補正対象書類名】明細書
【補正対象項目名】０００６
【補正方法】変更
【補正の内容】
【０００６】
本発明は、上記のような課題に着目してなされたもので、表示装置の前面に可動役物が移動した際にも始動記憶（保留）数の把握が可能な遊技機を提供することを目的とする。
【手続補正３】
【補正対象書類名】明細書
【補正対象項目名】０００７
【補正方法】変更
【補正の内容】
【０００７】
以上の課題を解決するため、請求項１に記載の発明は、
複数の図柄を変動表示させる変動表示ゲームを実行可能な表示装置と、
前記表示装置の前面側にて移動可能に構成され、少なくともそれぞれの所定部位が集合することで１つの有意な形状を形成可能な複数の可動装飾部材と、
前記可動装飾部材の動作を制御する制御手段と、を備え、
前記表示装置は、前記変動表示ゲームの始動記憶の記憶数を報知可能とする表示領域として、記憶数に応じて所定のマークの数を変化させて表示する第１記憶表示領域と、始動記憶の記憶数を表示する第２記憶表示領域と、を備え、
前記可動装飾部材が前記第１記憶表示領域を被覆する位置に移動した際に、前記始動記憶の記憶数の表示が視認可能となるように前記第２記憶表示領域を配置構成したことを特徴とする。
【手続補正４】
【補正対象書類名】明細書
【補正対象項目名】０００８
【補正方法】変更
【補正の内容】
【０００８】
請求項１に記載の発明によれば、可動装飾部材が移動して表示装置の第１記憶表示領域を隠してしまったとしても、表示装置の第２表示領域が視認可能であるため、始動記憶数の状態をいつでも確認することが出来る。
【手続補正５】
【補正対象書類名】明細書
【補正対象項目名】０００９
【補正方法】変更
【補正の内容】
【０００９】
請求項２に記載の発明は、請求項１に記載の遊技機において、
前記複数の可動装飾部材の所定部位が集合した状態で、各可動装飾部材の近接部位間に生じる隙間の前方を被覆可能な間被覆部材を備えたことを特徴とする。
ここで、「隙間」とは、実際に隙間が生じている場合の他、部品や組立てのばらつきによって隙間が生じたり生じなかったりする場合の当該部位を含む。
請求項２に記載の発明によれば、各可動装飾部材の近接部位間に生じる隙間を隠せるので役物として一体感が出て装飾性を高めることができる。
【手続補正６】
【補正対象書類名】明細書
【補正対象項目名】００１０
【補正方法】変更
【補正の内容】
【００１０】
請求項３に記載の発明は、請求項２に記載の遊技機において、
前記表示装置は、前記可動装飾部材が集合した状態を画像により表示可能であり、
前記表示装置による前記可動装飾部材が集合した状態の画像表示と、前記間被覆部材を動作させる制御の連動を可能にしたことを特徴とする。
【手続補正７】
【補正対象書類名】明細書
【補正対象項目名】００１１
【補正方法】変更
【補正の内容】
【００１１】
請求項３に記載の発明によれば、可動装飾部材と間被覆部材の連動による演出の他、表示装置に表示される画像と実物の可動部材との連動による演出が可能になり、演出を多様化させて変動表示ゲームの演出効果を高めることができる。
【手続補正８】
【補正対象書類名】明細書
【補正対象項目名】００１２
【補正方法】変更
【補正の内容】
【００１２】
請求項４に記載の発明は、請求項１〜３のいずれか一項に記載の遊技機において、
前記表示装置は、前記可動装飾部材の移動に合わせた画像を表示することを特徴とする。
請求項４に記載の発明によれば、表示装置の表示内容と可動装飾部材の移動が関連するような演出を行うことにより、遊技の興趣を高めることができる。
【手続補正９】
【補正対象書類名】明細書
【補正対象項目名】００１３
【補正方法】変更
【補正の内容】
【００１３】
本発明によれば、可動装飾部材が移動した際にも始動記憶（保留）数の把握が可能となる。
【手続補正１０】
【補正対象書類名】特許請求の範囲
【補正対象項目名】全文
【補正方法】変更
【補正の内容】
【特許請求の範囲】
【請求項１】
複数の図柄を変動表示させる変動表示ゲームを実行可能な表示装置と、
前記表示装置の前面側にて移動可能に構成され、少なくともそれぞれの所定部位が集合することで１つの有意な形状を形成可能な複数の可動装飾部材と、
前記可動装飾部材の動作を制御する制御手段と、を備え、
前記表示装置は、前記変動表示ゲームの始動記憶の記憶数を報知可能とする表示領域として、記憶数に応じて所定のマークの数を変化させて表示する第１記憶表示領域と、始動記憶の記憶数を表示する第２記憶表示領域と、を備え、
前記可動装飾部材が前記第１記憶表示領域を被覆する位置に移動した際に、前記始動記憶の記憶数の表示が視認可能となるように前記第２記憶表示領域を配置構成したことを特徴とする遊技機。
【請求項２】
前記複数の可動装飾部材の所定部位が集合した状態で、各可動装飾部材の近接部位間に生じる隙間の前方を被覆可能な間被覆部材を備えたことを特徴とする請求項１に記載の遊技機。
【請求項３】
前記表示装置は、前記可動装飾部材が集合した状態を画像により表示可能であり、
前記表示装置による前記可動装飾部材が集合した状態の画像表示と、前記間被覆部材を動作させる制御の連動を可能にしたことを特徴とする請求項２に記載の遊技機。
【請求項４】
前記表示装置は、前記可動装飾部材の移動に合わせた画像を表示することを特徴とする請求項１〜３のいずれか一項に記載の遊技機。
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
癌を有するヒト患者からの生体試料中のＣＤ７４−ＲＯＳ融合ポリヌクレオチドを検出することを含む方法であって、前記生体試料は癌細胞を含む、方法。
【請求項２】
前記検出は、第一プライマーは配列番号４の１−６３６ヌクレオチドまたはその相補体から成るポリヌクレオチドにハイブリダイズし、第二プライマーは配列番号６の５７５６−７３６８ヌクレオチドまたはその相補体から成るポリヌクレオチドにハイブリダイズする、一対のプライマーを使用し、前記試料からのポリヌクレオチドを用いたポリヌクレオチド増幅反応を行うこと、および、
増幅生成物の有無を検出することにより前記生体試料中のＣＤ７４−ＲＯＳ融合ポリヌクレオチドの有無を検出すること、を含む請求項１に記載の方法。
【請求項３】
前記ポリヌクレオチドはＤＮＡである、請求項２に記載の方法。
【請求項４】
前記ポリヌクレオチドはＲＮＡである、請求項２に記載の方法。
【請求項５】
前記生体試料は腫瘍生検試料、胸水試料、または血液試料である、請求項２に記載の方法。
【請求項６】
前記癌は肺癌である、請求項２に記載の方法。
【請求項７】
前記肺癌は非小細胞肺癌（ＮＳＣＬＣ）である、請求項７に記載の方法。
【請求項８】
前記検出は、配列番号１のアミノ酸配列を含むＣＤ７４−ＲＯＳ融合ポリペプチドをコードするヌクレオチド配列を含むＣＤ７４−ＲＯＳ融合ゲノムＤＮＡにハイブリダイズする蛍光標識した核酸プローブを用いた蛍光ｉｎ  ｓｉｔｕハイブリダイゼーションアッセイを行うこと、および、
前記生体試料中のＣＤ７４−ＲＯＳ融合ゲノムＤＮＡの有無を検出すること、を含む請求項１に記載の方法。
【請求項９】
前記生体試料は腫瘍生検試料、胸水試料、または血液試料である、請求項８に記載の方法。
【請求項１０】
前記癌は肺癌である、請求項８に記載の方法。
【請求項１１】
前記肺癌は非小細胞肺癌（ＮＳＣＬＣ）である、請求項１０に記載の方法。
【請求項１２】
前記検出は核酸シークエンシングを含む、請求項１に記載の方法。
【請求項１３】
前記シークエンシングは、前記ＣＤ７４−ＲＯＳ融合ポリヌクレオチドの融合ジャンクション配列を決定することを含む、請求項１２に記載の方法。
【請求項１４】
非小細胞肺癌（ＮＳＣＬＣ）の進行を抑制するための抗体または小分子化合物を含む医薬であって、前記ＮＳＣＬＣは、ＣＤ７４−ＲＯＳ融合ポリヌクレオチドまたは前記ＣＤ７４−ＲＯＳ融合ポリヌクレオチドにコードされるＣＤ７４−ＲＯＳ融合ポリペプチドの存在により特徴付けられ、前記ＣＤ７４−ＲＯＳ融合ポリヌクレオチドは配列番号２のヌクレオチド配列または配列番号１のアミノ酸配列を含むＣＤ７４−ＲＯＳ融合ポリペプチドをコードするヌクレオチド配列を含み、前記抗体または小分子化合物はＣＤ７４−ＲＯＳ融合ポリヌクレオチドの発現および／またはＣＤ７４−ＲＯＳ融合ポリペプチドの活性を抑制することを特徴とする、医薬。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
動物に金属を栄養的に利用可能にさせるためのサプリメントの使用であって、前記サプリメントは、グルタミン酸Ｎ，Ｎ−二酢酸（ＧＬＤＡ）、ＧＬＤＡの金属錯体、ＧＬＤＡのナトリウム塩、ＧＬＤＡのカリウム塩、メチルグリシン−Ｎ，Ｎ−二酢酸（ＭＧＤＡ）、ＭＧＤＡの金属錯体、ＭＧＤＡのナトリウム塩、及びＭＧＤＡのカリウム塩からなる群から選択される少なくとも１つの化合物を含む、前記使用。
【請求項２】
動物に金属を栄養的に利用可能にさせるためのサプリメントの使用であって、前記サプリメントは、グルタミン酸Ｎ，Ｎ−二酢酸（ＧＬＤＡ）、またはメチルグリシン−Ｎ，Ｎ−二酢酸（ＭＧＤＡ）のアニオンの群から選択される少なくとも１つのアニオンと、カルシウム、マグネシウム、銅、亜鉛、鉄、マンガン、クロム、及びコバルトカチオンからなる群から選択される少なくとも１つのカチオンとを含む、前記使用。
【請求項３】
前記金属は、亜鉛、銅、鉄、マンガン、コバルト、クロム、カルシウム、及びマグネシウムからなる群から選択される、請求項１に記載の使用。
【請求項４】
前記サプリメントは、ＧＬＤＡの金属錯体、またはＭＧＤＡの金属錯体を含む、請求項１から３のいずれか一項に記載の使用。
【請求項５】
前記サプリメントは、ＧＬＤＡの亜鉛、マンガン、鉄又は銅錯体を含む、請求項１から４のいずれか一項に記載の使用。
【請求項６】
前記サプリメントは、動物飼料、動物用飲料水、塩塊、又はそれらのためのプレミックス中に存在する、請求項１から５のいずれか一項に記載の使用。
【請求項７】
前記動物飼料は、さらに、マメ科植物、飼い葉、穀物及び／又は葉又はそれらの誘導体の群からの家畜用飼料を含む、請求項６に記載の使用。
【請求項８】
前記動物は、ニワトリ、産卵ニワトリ、シチメンチョウ、ブタ、ウシ、ヒツジ、ヤギ、ウマ、ネコ、イヌ、魚類、又はエビである、請求項１から７のいずれか一項に記載の使用。
【請求項９】
（ｉ）グルタミン酸Ｎ，Ｎ−二酢酸（ＧＬＤＡ）、ＧＬＤＡの金属錯体、ＧＬＤＡのナトリウム塩、ＧＬＤＡのカリウム塩、メチルグリシン−Ｎ，Ｎ−二酢酸（ＭＧＤＡ）、ＭＧＤＡの金属錯体、ＭＧＤＡのナトリウム塩、及びＭＧＤＡのカリウム塩からなる群から選択される少なくとも１つの化合物と、（ｉｉ）タンパク質、脂肪、炭水化物、無機質、ビタミン類、ビタミン前駆体、及び水若しくはその他の食用液体からなる群から選択される少なくとも１つの化合物とを含む動物飼料、動物用飲料水、塩塊若しくはそのためのプレミックス。
【請求項１０】
前記金属は、亜鉛、銅、鉄、マンガン、クロム、コバルト、カルシウム、及びマグネシウムからなる群から選択される、請求項９に記載の動物飼料、動物用飲料水、塩塊若しくはそのためのプレミックス。
【請求項１１】
ＧＬＤＡの亜鉛若しくは銅錯体を含む請求項９又は１０に記載の動物飼料、動物用飲料水、塩塊若しくはそのためのプレミックス。
【請求項１２】
化合物として（ｉ）グルタミン酸Ｎ，Ｎ−二酢酸（ＧＬＤＡ）のナトリウム塩、ＧＬＤＡのカリウム塩、メチルグリシン−Ｎ，Ｎ−二酢酸（ＭＧＤＡ）のナトリウム塩、ＭＧＤＡのカリウム塩、ＧＬＤＡのカルシウム錯体、ＧＬＤＡのマグネシウム錯体、ＭＧＤＡのカルシウム錯体、及びＭＧＤＡのマグネシウム錯体からなる群から選択される少なくとも１つの化合物と、（ii）銅塩、亜鉛塩、鉄塩、マンガン塩、クロム塩、及びコバルト塩からなる群から選択される１つ又はそれ以上の塩とを含む、請求項９又は１０に記載の動物飼料、動物用飲料水、塩塊若しくはそのためのプレミックス。
【請求項１３】
グルタミン酸Ｎ，Ｎ−二酢酸（ＧＬＤＡ）の金属錯体であって、該金属が、銅、マンガン、クロム、コバルト、マグネシウム及びカルシウムからなる群から選択される、前記金属錯体。
【請求項１４】
メチルグリシン−Ｎ，Ｎ−二酢酸（ＭＧＤＡ）の金属錯体であって、該金属が、マンガン、クロム及びコバルトからなる群から選択される、前記金属錯体。
【請求項１５】
グルタミン酸Ｎ，Ｎ−二酢酸（ＧＬＤＡ）又はメチルグリシン−Ｎ，Ｎ−二酢酸（ＭＧＤＡ）の金属錯体であって、前記錯体が、Ｎａ２Ｃｕ−ＧＬＤＡ、Ｋ２Ｃｕ−ＧＬＤＡ、Ｈ２Ｃｕ−ＧＬＤＡ、ＮａＫＣｕ−ＧＬＤＡ、ＮａＨＣｕ−ＧＬＤＡ、ＫＨＣｕ−ＧＬＤＡ、Ｃｕ２−ＧＬＤＡ、Ｎａ２Ｚｎ−ＧＬＤＡ、Ｋ２Ｚｎ−ＧＬＤＡ、Ｈ２Ｚｎ−ＧＬＤＡ、ＮａＫＺｎ−ＧＬＤＡ、ＮａＨＺｎ−ＧＬＤＡ、ＫＨＺｎ−ＧＬＤＡ、Ｚｎ２−ＧＬＤＡ、Ｎａ２Ｍｎ−ＧＬＤＡ、Ｋ２Ｍｎ−ＧＬＤＡ、Ｈ２Ｍｎ−ＧＬＤＡ、ＮａＫＭｎ−ＧＬＤＡ、ＮａＨＭｎ−ＧＬＤＡ、ＫＨＭｎ−ＧＬＤＡ、Ｍｎ２−ＧＬＤＡ、ＫＣｕ−ＭＧＤＡ、ＨＣｕ−ＭＧＤＡ、ＮａＺｎ−ＭＧＤＡ、ＫＺｎ−ＭＧＤＡ、ＨＺｎ−ＭＧＤＡ、ＮａＭｎ−ＭＧＤＡ、ＫＭｎ−ＭＧＤＡ、またはＨＭｎ−ＭＧＤＡである、前記金属錯体。
【請求項１６】
動物飼料、動物用飲料水、塩塊若しくはそれらのためのプレミックスを補う方法であって、
グルタミン酸Ｎ，Ｎ−二酢酸（ＧＬＤＡ）の金属錯体、またはメチルグリシン−Ｎ，Ｎ−二酢酸（ＭＧＤＡ）の金属錯体を含むサプリメントを前記動物飼料、動物用飲料水、塩塊若しくはプレミックスに加える工程を含む、又は、
ＧＬＤＡ、ＧＬＤＡのナトリウム塩、ＧＬＤＡのカリウム塩、ＭＧＤＡ、ＭＧＤＡのナトリウム塩、及びＭＧＤＡのカリウム塩からなる群から選択される少なくとも１つの化合物を、前記動物飼料、動物用飲料水、塩塊、又はプレミックスに加える工程を含む、前記方法。
【請求項１７】
動物飼料、動物用飲料水、塩塊若しくはそれらのためのプレミックスを補う方法であって、
グルタミン酸Ｎ，Ｎ−二酢酸（ＧＬＤＡ）の金属錯体、またはメチルグリシン−Ｎ，Ｎ−二酢酸（ＭＧＤＡ）の金属錯体を含むサプリメントを前記動物飼料、動物用飲料水、塩塊若しくはプレミックスに加える工程を含む、又は、
ＧＬＤＡ、ＧＬＤＡのナトリウム塩、ＧＬＤＡのカリウム塩、ＭＧＤＡ、ＭＧＤＡのナトリウム塩、及びＭＧＤＡのカリウム塩からなる群から選択される少なくとも１つの化合物を、銅塩、亜鉛塩、鉄塩、マンガン塩、クロム塩、及びコバルト塩からなる群から選択される１以上の塩と共に、前記動物飼料、動物用飲料水、塩塊、又はプレミックスに加える工程を含む、前記方法。
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
試料中の胎児核酸の量を決定する方法であって、
ａ）示差的にメチル化された胎児核酸および母体核酸を含む、妊婦に由来する試料中に存在する核酸を、非メチル化核酸を特異的に消化する試薬と接触させ、それによって該胎児核酸を富化する工程であって、該胎児核酸と該母体核酸との組み合わせが、該試料中の総核酸を構成する、工程と；
ｂ）（ｉ）配列番号９０〜１６３、１７６、１７９、１８０、１８４、１８８、１８９、１９０、１９１、１９３、１９５、１９８、１９９、２００、２０１、２０２、２０３、２０６、２０７、２０８、２０９、２１１、２１２、２１３、２１４、２２１、２２３、２２５、２２６、２３１、２３２、２３３、２３５、２３９、２４１、２５７、２５８、２５９および２６１の遺伝子座から選択される複数の遺伝子座において胎児核酸の量を分析する工程、
（ｉｉ）総核酸の量を決定する工程、
（ｉｉｉ）存在する場合、Ｙ染色体核酸の量を決定する工程、ならびに
（ｉｖ）該試薬の消化効率を決定する工程、
による複数の反応において該試料中の胎児核酸の量を決定する工程と；
を含む、方法。
【請求項２】
前記複数の遺伝子座が、配列番号１７６、１７９、１８０、１８４、１８８、１８９、１９０、１９１、１９３、１９５、１９８、１９９、２００、２０１、２０２、２０３、２０６、２０７、２０８、２０９、２１１、２１２、２１３、２１４、２２１、２２３、２２５、２２６、２３１、２３２、２３３、２３５、２３９、２４１、２５７、２５８、２５９、および２６１の遺伝子座から選択される１以上の遺伝子座を含む、請求項１に記載の方法。
【請求項３】
前記複数の遺伝子座が、配列番号１９３、２００、２０８、２０９、２１１、２１３、２１４、２３１、２３２、２３５、および２４１の遺伝子座から選択される１以上の遺伝子座を含む、請求項１または２に記載の方法。
【請求項４】
前記複数の遺伝子座が、配列番号２０９の遺伝子座を含む、請求項３に記載の方法。
【請求項５】
前記複数の遺伝子座が、配列番号２１１の遺伝子座を含む、請求項３に記載の方法。
【請求項６】
前記複数の遺伝子座が、配列番号２１３の遺伝子座を含む、請求項３に記載の方法。
【請求項７】
前記複数の遺伝子座が、配列番号２１４の遺伝子座を含む、請求項３に記載の方法。
【請求項８】
前記非メチル化核酸を特異的に消化する試薬がメチル化感受性制限酵素である、請求項１〜７のいずれか一項に記載の方法。
【請求項９】
前記試料中の胎児核酸の量を決定する工程が、（ｂ）における胎児核酸の量を、核酸の総量に対して比較する工程を含む、請求項１〜８のいずれか一項に記載の方法。
【請求項１０】
胎児核酸の量が、Ｙ染色体核酸の量に対して比較される、請求項１〜９のいずれか一項に記載の方法。
【請求項１１】
（ｂ）における胎児核酸の量を決定する工程が、増幅反応において１つ以上の競合剤を既知濃度で導入する工程を含む、請求項１〜１０のいずれか一項に記載の方法。
【請求項１２】
前記試料中の胎児核酸の絶対量を決定する工程を含む、請求項１１に記載の方法。
【請求項１３】
前記胎児核酸の量を決定する工程が、質量分析法、ＲＴ−ＰＣＲ、デジタルＰＣＲ、アレイに基づく方法、配列決定方法、ナノポアに基づく方法、核酸が結合したビーズに基づく計数方法、競合剤ベースの方法、および、メチル化状態に基づいて核酸に結合する薬剤を用いる核酸分離方法から選択される１つ以上のプロセスの使用を含む、請求項１〜１２のいずれか一項に記載の方法。
【請求項１４】
前記胎児核酸の量を決定する工程が、質量分析法の使用を含む、請求項１３に記載の方法。
【請求項１５】
スペクトル上の１つ以上の質量ピークを分析する工程を含む、請求項１４に記載の方法。
【請求項１６】
前記胎児核酸の量を決定する工程が、配列決定方法の使用を含む、請求項１３に記載の方法。
【請求項１７】
前記配列決定方法が、合成による配列決定を含む、請求項１６に記載の方法。
【請求項１８】
胎児核酸の所与の絶対量または濃度が特定の臨床的感度要件または臨床的特異性要件を満たす必要がある、胎児の形質を決定するための診断方法と併せて、前記胎児核酸の量が使用される、請求項１〜１７のいずれか一項に記載の方法。
【請求項１９】
前記胎児の形質が胎児の異数性である、請求項１８に記載の方法。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
２’，６’−ジクロロ−３’−フルオロアセトフェノン基質を生成物である（Ｓ）−１−（２，６−ジクロロ−３−フルオロフェニル）エタノールに立体選択的に還元することができる、野生型Ｌａｃｔｏｂａｃｉｌｌｕｓケトレダクターゼに由来する、ケトレダクターゼポリペプチドであって、該ポリペプチドは、配列番号２、４または９８の１９０位のアミノ酸残基がアラニンまたはシステインに変更された参照配列と少なくとも９４％同一であるアミノ酸配列を含み、そして、該アミノ酸配列は、Ｘ１９０に対応する残基にアラニンまたはシステインを有し、該ポリペプチドは、２’，６’−ジクロロ−３’−フルオロアセトフェノン基質を生成物である（Ｓ）−１−（２，６−ジクロロ−３−フルオロフェニル）エタノールに立体選択的に還元することができ、そして、該ポリペプチドはさらに、配列番号６の配列を有するケトレダクターゼポリペプチドによって可能な率よりも少なくとも４５０％大きい率で該基質を該生成物に変換することが可能である、ケトレダクターゼポリペプチド。
【請求項２】
前記アミノ酸配列が、Ｘ１９６に対応する残基にロイシン、メチオニン、フェニルアラニン、またはイソロイシンを有する、請求項１に記載のポリペプチド。
【請求項３】
前記ポリペプチドが、２’，６’−ジクロロ−３’−フルオロアセトフェノン基質を生成物である（Ｓ）−１−（２，６−ジクロロ−３−フルオロフェニル）エタノールに、少なくとも９０％の立体異性体過剰率で立体選択的に還元することができる、請求項１に記載のポリペプチド。
【請求項４】
前記ポリペプチドが、２’，６’−ジクロロ−３’−フルオロアセトフェノン基質を生成物である（Ｓ）−１−（２，６−ジクロロ−３−フルオロフェニル）エタノールに、少なくとも９９％の立体異性体過剰率で立体選択的に還元することができる、請求項１に記載のポリペプチド。
【請求項５】
前記ポリペプチドが、２’，６’−ジクロロ−３’−フルオロアセトフェノン基質を生成物である（Ｓ）−１−（２，６−ジクロロ−３−フルオロフェニル）エタノールに、少なくとも８５％の立体異性体過剰率で立体選択的に還元することができる、請求項１に記載のポリペプチド。
【請求項６】
次の特徴：
Ｘ７に対応する残基が、トレオニン、プロリン、トリプトファン、アルギニン、ヒスチジン、またはアスパラギンである；
Ｘ１６に対応する残基が、セリンである；
Ｘ４３に対応する残基が、イソロイシンである；
Ｘ９４に対応する残基が、アラニン、バリンまたはシステインである；
Ｘ９５に対応する残基が、イソロイシンまたはロイシンである；
Ｘ９６に対応する残基が、セリン、アスパラギン、トレオニンまたはグルタミン酸である；
Ｘ９７に対応する残基が、リジン、トレオニン、バリン、アルギニン、メチオニン、またはイソロイシンである；
Ｘ１２０に対応する残基が、フェニルアラニンまたはバリンである；
Ｘ１２５に対応する残基が、グリシンまたはセリンである；
Ｘ１４７に対応する残基が、フェニルアラニン、ロイシン、イソロイシン、バリン、またはグルタミンである；
Ｘ１５２に対応する残基が、セリン、トレオニン、またはメチオニンである；
Ｘ２０２に対応する残基が、アラニン、トリプトファン、チロシン、またはメチオニンである；
Ｘ２０５に対応する残基が、アルギニンである；および
Ｘ２０６に対応する残基が、メチオニンまたはチロシンである、の１つ以上をさらに有するアミノ酸配列を含み；ならびに
前記アミノ酸配列が、前記参照配列と比較して他のアミノ酸残基に１つ以上の残基相違を有する、請求項１〜５のいずれか一項に記載のポリペプチド。
【請求項７】
前記ポリペプチドが、配列番号６の配列を有する前記ケトレダクターゼポリペプチドによって可能な率よりも少なくとも１５００％大きい率で前記基質を前記生成物に変換することがさらに可能であり、かつ該ポリペプチドが、配列番号６、８、１２、１６、２６、３０、３４、５４、６６および７２から選択されるアミノ酸配列を含む、請求項１に記載のポリペプチド。
【請求項８】
請求項１〜７のいずれか一項に記載のポリペプチドをコードするポリヌクレオチドであって、該ポリヌクレオチドは、配列番号５、７、１１、１５、２５、２９、３３、５３、６５および７１から成る群より選択される、ポリヌクレオチド。
【請求項９】
宿主細胞での発現を導くのに好適な少なくとも１つの制御配列に操作可能に連結された請求項８に記載のポリヌクレオチドを含む、発現ベクター。
【請求項１０】
請求項９に記載の発現ベクターを含む、宿主細胞。
【請求項１１】
３’、４’、および５’位の１つ以上で置換された２’，６’置換アセトフェノン基質を対応する置換（Ｓ）−１−フェネタノールに立体選択的に還元するための方法であって、該基質を対応する（Ｓ）−アルコール生成物に立体選択的に還元または変換するのに好適な反応条件下で、該基質を請求項１〜７のいずれか一項に記載のケトレダクターゼポリペプチドと接触させるステップを含み、該ケトレダクターゼポリペプチドが、配列番号６、８、１２、１６、２６、３０、３４、５４、６６および７２から選択されるアミノ酸配列を含む、方法。
【請求項１２】
前記基質が２’，６’−ジクロロ−３’フルオロアセトフェノンであり、前記対応する（Ｓ）−アルコール生成物が（Ｓ）−１−（２，６−ジクロロ−３−フルオロフェニル）エタノールであり、かつ、該（Ｓ）−１−（２，６−ジクロロ−３−フルオロフェニル）エタノールが９９％を超える立体異性体過剰率で形成される、請求項１１に記載の方法。
【請求項１３】
構造式（ＶＩＩ）の化合物またはその塩、水和物、もしくは溶媒和物を生成するための方法であって、該方法は、好適な反応条件下で請求項１〜７のいずれか一項に記載のケトレダクターゼポリペプチドを使用して、式（Ｉ）の化合物を式（ＩＩ）の化合物に還元または変換するステップを含み、該ケトレダクターゼポリペプチドが、配列番号６、８、１２、１６、２６、３０、３４、５４、６６および７２から選択されるアミノ酸配列を含む、方法。
【請求項１４】
構造式（ＶＩＩＩ）の化合物またはその塩、水和物、もしくは溶媒和物を生成するための方法であって、該方法は、好適な反応条件下で請求項１〜７のいずれか一項に記載のケトレダクターゼポリペプチドを使用して、式（Ｉ）の化合物を式（ＩＩ）の化合物に還元または変換するステップを含み、該ケトレダクターゼポリペプチドが、配列番号６、８、１２、１６、２６、３０、３４、５４、６６および７２から選択されるアミノ酸配列を含む、方法。
【請求項１５】
３’，４’および５’位の１つ以上にて置換された２’，６’−置換アセトフェノン、および／または対応する置換（Ｓ）−１−フェネタノール、ならびに請求項１〜７のいずれか一項に記載のケトレダクターゼを含む、組成物であって、その基質は、式（Ｉ）の２’，６’−ジクロロ−３’−フルオロアセトフェノンであり、および該対応する置換（Ｓ）−１−フェネタノールが式（ＩＩ）の（Ｓ）−１−（２，６−ジクロロ−３−フルオロフェニル）エタノールであり、該ケトレダクターゼポリペプチドが、配列番号６、８、１２、１６、２６、３０、３４、５４、６６および７２から選択されるアミノ酸配列を含む、組成物。
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
以下の段階を含む、対象における疾患または他の医学的状態の診断、モニタリングおよび／または評価を助ける、対象におけるマイクロベシクル（microvesicle）に含まれるバイオマーカーの存在を検出する方法：
（a）ヒトから得た体液からマイクロベシクルを単離する段階；
ここで、該体液は、尿、血清または血漿であり、且つ該単離する段
階は、以下の段階を含む：
（i）該マイクロベシクルを処理して、タンパク質、脂質、死細胞
からの残渣、およびその他の混入物を除去する段階；
（ii）超遠心またはナノ膜限外濾過濃縮器を用いて該マイクロベシ
クルを精製する段階；および
（iii）該マイクロベシクルを洗浄する段階；
（b）  該マイクロベシクルからRNAを抽出する段階；および
（c）マイクロベシクル画分内のバイオマーカーの有無について該抽出されたRNAを分析する段階であって、該バイオマーカーが、遺伝子異状であり、および該バイオマーカーが疾患または他の医学的状態と関連している段階。
【請求項２】
該遺伝子異状が、
（i）ある種の核酸；
（ii）核酸の発現レベル；
（iii）核酸変異体；または
（iv）それらの組み合わせ、
である、請求項１記載の方法。
【請求項３】
該核酸が、RNAである、請求項１または２記載の方法。
【請求項４】
該RNAが、メッセンジャーRNA、マイクロRNA、siRNAまたはshRNAである、請求項３記載の方法。
【請求項５】
該マイクロベシクルを処理して、タンパク質、脂質、死細胞からの残渣、およびその他の混入物を除去する段階が、サイズ排除クロマトグラフィー、密度勾配遠心法、分画遠心法、ナノ膜限外濾過、免疫吸着捕捉（immunoabsorbent capture）、アフィニティー精製、マイクロ流体分離（microfluidic separation）、またはそれらの組み合わせによって行われる、請求項１〜４のいずれか一項記載の方法。
【請求項６】
分析する段階(c）が、マイクロアレイ分析、PCR、アレル特異的プローブとのハイブリダイゼーション、酵素的突然変異検出、ライゲーション連鎖反応（LCR）、オリゴヌクレオチドライゲーションアッセイ（OLA）、フローサイトメトリーヘテロ二重鎖分析、ミスマッチ化学切断法、質量分析、リボ核酸（RNA）シークエンシング、一本鎖高次構造多型（SSCP）、変性勾配ゲル電気泳動（DGGE）、温度勾配ゲル電気泳動（TGGE）、制限断片多型、遺伝子発現連続分析（serial analysis of gene expression）（SAGE）、またはそれらの組み合わせによって行われる、請求項１〜５のいずれか一項記載の方法。
【請求項７】
段階（c）のマイクロベシクルのバイオマーカーのプロファイルを対照のプロファイルと比較する段階、および該マイクロベシクルのバイオマーカーのプロファイルと該対照のプロファイルとの間の1つまたは複数の相違に基づいて潜在する新たなバイオマーカーを選択する段階をさらに含む、請求項１〜６のいずれか一項記載の方法。
【請求項８】
該マイクロベシクルを処理して、タンパク質、脂質、死細胞からの残渣、およびその他の混入物を除去する段階が、0.8μmフィルターを通す濾過によるものである、請求項１〜６のいずれか一項記載の方法。
【請求項９】
該0.8μmフィルターを通す濾過の後に、限外濾過がなされる、請求項８記載の方法。
【請求項１０】
該マイクロベシクルを処理して、タンパク質、脂質、死細胞からの残渣、およびその他の混入物を除去する段階が、遠心によるものである、請求項１〜６のいずれか一項記載の方法。
【請求項１１】
該体液が、血清または血漿である、請求項１〜１０のいずれか一項記載の方法。
【請求項１２】
該体液が、尿である、請求項１〜１０のいずれか一項記載の方法。
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
移植療法に適したＲＰＥ細胞調製物を作製する方法であって、該方法は：
（ａ）該ＲＰＥ細胞を分散させる工程であって、該ＲＰＥ細胞は、丸石多角形の上皮様細胞形態および色素沈着を有し、該ＲＰＥ細胞は、ＲＰＥ６５およびベストロフィンを発現する細胞を含むことを特徴とする、工程；
（ｂ）該分散させたＲＰＥ細胞を、塩基性ＦＧＦの存在下、接着性の条件下で培養する工程であって、該培養したＲＰＥ細胞は、脱分化および増殖して、色素沈着および上皮様形態を失う、工程；
（ｃ）塩基性ＦＧＦの非存在下で該脱分化した細胞を培養する工程であって、該細胞は、ＲＰＥ細胞の単層を形成し、休止状態となって、色素沈着および上皮様形態を回復し、そして、該ＲＰＥ細胞の単層は、ＲＰＥ６５およびベストロフィンを発現する細胞を含む、工程；ならびに
（ｄ）複数の継代を経て、工程（ａ）、（ｂ）および（ｃ）を反復することによって、該ＲＰＥ細胞を拡大させる工程
を包含する、方法。
【請求項２】
３回の継代を提供するために工程（ａ）、（ｂ）および（ｃ）が反復される、請求項１に記載の方法。
【請求項３】
前記ＲＰＥ細胞調製物がヒトＲＰＥ細胞調製物である、請求項１に記載の方法。
【請求項４】
色素沈着および上皮形態を失った前記脱分化した細胞が、ｍｉｔｆ、Ｐａｘ６、チューブリンβＩＩＩおよびネスチンからなる群より選択される１以上のマーカーについて陽性である、請求項１に記載の方法。
【請求項５】
前記ＲＰＥ細胞の単層が、Ｐａｘ６−、ベストロフィン＋、ＣＲＡＬＢＰ＋、ＰＥＤＦ＋であり、かつ、ＲＰＥ６５を発現する細胞を含む、請求項１に記載の方法。
【請求項６】
前記ＲＰＥ細胞の単層が、Ｏｃｔ４を発現するいかなる細胞も存在しないことによって、または、Ｓｏｘ２を発現するいかなる細胞も存在しないことによって、または、ＴＤＧＦ−１を発現するいかなる細胞も存在しないことによって特徴づけられる、請求項１に記載の方法。
【請求項７】
前記ＲＰＥ細胞がヒトＲＰＥ細胞であり、前記方法がさらに、
（ｅ）（ｄ）の複数回の継代後に、移植療法に適した該ヒトＲＰＥ細胞の純粋な調製物を単離する工程
を包含する、請求項１に記載の方法。
【請求項８】
前記移植療法に適したＲＰＥ細胞の調製物が、マトリックスまたは基材と共に提供される、請求項７に記載の方法。
【請求項９】
前記移植療法に適したＲＰＥ細胞の調製物が、懸濁液中に提供される、請求項７に記載の方法。
【請求項１０】
請求項８または請求項９に記載の方法によって製造される純粋なＲＰＥ細胞調製物であって、該ＲＰＥ細胞が網膜下移植に適している、純粋なＲＰＥ細胞調製物。
【請求項１１】
前記ＲＰＥ細胞が機能的に二極化した単層として提供される、請求項１０に記載のＲＰＥ細胞調製物。
【請求項１２】
請求項７に記載の方法を用いて製造されたＲＰＥ細胞の調製物を含む、網膜変性の治療のための組成物。
【請求項１３】
前記網膜変性が黄斑変性である、請求項１２に記載の組成物。
【請求項１４】
前記黄斑変性が年齢−関連黄斑変性である、請求項１３に記載の組成物。
【請求項１５】
前記黄斑変性がシュタルガルト病である、請求項１３に記載の組成物。
【請求項１６】
請求項７に記載の方法を用いて製造されたＲＰＥ細胞の調製物を含む、網膜上の病理学的近視の二次的な影響を治療するための組成物。
【請求項１７】
請求項７に記載の方法を用いて製造されたＲＰＥ細胞の調製物を含む、病理学的近視を治療するための組成物。
【請求項１８】
請求項７に記載の方法を用いて製造されたＲＰＥ細胞の調製物を含む、色素性網膜炎を治療するための組成物。
【請求項１９】
網膜下移植により機能的に二極化した単層の形態で投与される、請求項１２に記載の組成物。
【請求項２０】
ＲＰＥ細胞の調製物を含む、シュタルガルト病を治療するための組成物。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
ＨＶＰＥ法によるβ−Ｇａ２Ｏ３系単結晶膜の成長方法であって、
Ｇａ２Ｏ３系基板を塩化ガリウム系ガス及び酸素含有ガスに曝し、前記Ｇａ２Ｏ３系基板の主面上にβ−Ｇａ２Ｏ３系単結晶膜を９００℃以上の成長温度で成長させる工程を含む、β−Ｇａ２Ｏ３系単結晶膜の成長方法。
【請求項２】
Ｇａ原料とＣｌ２ガス又はＨＣｌガスであるＣｌ含有ガスとを反応させることにより前記塩化ガリウム系ガスを生成する、
請求項１に記載のβ−Ｇａ２Ｏ３系単結晶膜の成長方法。
【請求項３】
前記塩化ガリウム系ガスのうち、ＧａＣｌガスの分圧比が最も高い、
請求項１又は２に記載のβ−Ｇａ２Ｏ３系単結晶膜の成長方法。
【請求項４】
前記酸素含有ガスはＯ２ガスである、
請求項１〜３のいずれか１項に記載のβ−Ｇａ２Ｏ３系単結晶膜の成長方法。
【請求項５】
前記Ｃｌ含有ガスはＣｌ２ガスである、
請求項２に記載のβ−Ｇａ２Ｏ３系単結晶膜の成長方法。
【請求項６】
前記β−Ｇａ２Ｏ３系単結晶膜を成長させる際の前記酸素含有ガスの供給分圧の前記塩化ガリウム系ガスの供給分圧に対する比の値は０．５以上である、
請求項１〜５のいずれか１項に記載のβ−Ｇａ２Ｏ３系単結晶膜の成長方法。
【請求項７】
前記Ｇａ２Ｏ３系基板の前記主面の面方位は、（０１０）、（−２０１）、（００１）、又は（１０１）である、
請求項１〜６のいずれか１項に記載のβ−Ｇａ２Ｏ３系単結晶膜の成長方法。
【請求項８】
３００℃以上の雰囲気温度下で前記塩化ガリウム系ガスを生成する、
請求項１〜７のいずれか１項に記載のβ−Ｇａ２Ｏ３系単結晶膜の成長方法。
【請求項９】
Ｇａ２Ｏ３系基板と、
前記Ｇａ２Ｏ３系基板の主面上にエピタキシャル結晶成長により形成された、１０００ｎｍより大きい厚さを有する、Ｃｌを含むβ−Ｇａ２Ｏ３系単結晶膜と、
を含む結晶積層構造体。
【請求項１０】
前記β−Ｇａ２Ｏ３系単結晶膜のＣｌ濃度は、５×１０１６ａｔｏｍｓ／ｃｍ３以下である、
請求項９に記載の結晶積層構造体。
【請求項１１】
前記β−Ｇａ２Ｏ３系単結晶膜はβ−Ｇａ２Ｏ３結晶膜である、
請求項９又は１０に記載の結晶積層構造体。
【請求項１２】
前記β−Ｇａ２Ｏ３系単結晶膜の残留キャリア濃度は、３×１０１５ａｔｏｍｓ／ｃｍ３以下である、
請求項１１に記載の結晶積層構造体。
【手続補正２】
【補正対象書類名】明細書
【補正対象項目名】００１０
【補正方法】変更
【補正の内容】
【００１０】
［２］Ｇａ原料とＣｌ２ガス又はＨＣｌガスであるＣｌ含有ガスとを反応させることにより前記塩化ガリウム系ガスを生成する、前記［１］に記載のβ−Ｇａ２Ｏ３系単結晶膜の成長方法。
【手続補正３】
【補正対象書類名】明細書
【補正対象項目名】００１８
【補正方法】変更
【補正の内容】
【００１８】
［９］Ｇａ２Ｏ３系基板と、前記Ｇａ２Ｏ３系基板の主面上にエピタキシャル結晶成長により形成され、１０００ｎｍより大きい厚さを有する、Ｃｌを含むβ−Ｇａ２Ｏ３系単結晶膜と、を含む結晶積層構造体。
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
前記抽選手段による抽選に当選したことに基づいて各種の遊技内容を決定する遊技内容決定手段と、
を備え、前記遊技内容決定手段により決定された遊技内容に基づいて変動ゲームが行われる遊技機であって、
さらに、
前記遊技内容決定手段により各種の遊技内容が決定されたとき、該遊技内容に基づいて、複数の演出のうちいずれか一の演出に決定し、該決定された一の演出を実行可能な通常演出制御手段と、
前記通常演出制御手段による演出が行われた後、始動操作が行われるまでの間は遊技の進行を停止させて、前記決定された一の演出と異なる自在演出が実行可能とされる演出自在状態に制御する状態制御手段と、
前記演出自在状態においては、当該状態に制御されてから適宜のタイミングで前記自在演出を出現させることのできる特定の演出操作機会を遊技者に対して付与する興趣呼戻機会付与手段と、
前記特定の演出操作機会にて演出操作されたことに基づいて、当該変動ゲームにおいて前記通常演出制御手段によりすでに実行された前記一の演出とは異なる別の演出を前記自在演出として前記演出自在状態において出現させる制御を実行可能な自在演出制御手段と、
前記演出自在状態において前記自在演出を出現させたか否かにかかわらず、前記始動操作を通じて遊技の再開条件が満たされたときは、前記遊技の進行を再開させる状態復帰制御手段と
を備えることを特徴とする遊技機。
【請求項２】
前記抽選手段は、
前記所定条件の成立に基づいて乱数を取得し、該取得した乱数を用いて前記抽選を行うものである
請求項１に記載の遊技機。
【請求項３】
前記通常演出制御手段により実行される演出及び前記自在演出制御手段により実行される自在演出が行われる液晶表示手段をさらに備える
請求項１または２に記載の遊技機。
【手続補正２】
【補正対象書類名】明細書
【補正対象項目名】０００６
【補正方法】変更
【補正の内容】
【０００６】
しかしながら、このような遊技機では、大当りの当選確率が極めて低く設定されることが多いことから、大当りの当選期待度の高い演出画像が現れる頻度は低くなりがちであり、このような演出だけでは要求される程度にまで遊技興趣の向上を図ることが困難とされている。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
手段１：所定条件の成立に基づいて抽選を行う抽選手段と、
前記抽選手段による抽選に当選したことに基づいて各種の遊技内容を決定する遊技内容決定手段と、を備え、前記遊技内容決定手段により決定された遊技内容に基づいて変動ゲームが行われる遊技機であって、さらに、前記遊技内容決定手段により各種の遊技内容が決定されたとき、該遊技内容に基づいて、複数の演出のうちいずれか一の演出に決定し、該決定された一の演出を実行可能な通常演出制御手段と、前記通常演出制御手段による演出が行われた後、始動操作が行われるまでの間は遊技の進行を停止させて、前記決定された一の演出と異なる自在演出が実行可能とされる演出自在状態に制御する状態制御手段と、前記演出自在状態においては、当該状態に制御されてから適宜のタイミングで前記自在演出を出現させることのできる特定の演出操作機会を遊技者に対して付与する興趣呼戻機会付与手段と、前記特定の演出操作機会にて演出操作されたことに基づいて、当該変動ゲームにおいて前記通常演出制御手段によりすでに実行された前記一の演出とは異なる別の演出を前記自在演出として前記演出自在状態において出現させる制御を実行可能な自在演出制御手段と、前記演出自在状態において前記自在演出を出現させたか否かにかかわらず、前記始動操作を通じて遊技の再開条件が満たされたときは、前記遊技の進行を再開させる状態復帰制御手段とを備えることを特徴とする遊技機。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
前記抽選手段による抽選に当選したことに基づいて各種の遊技内容を決定する遊技内容決定手段と、
前記遊技内容決定手段により各種の遊技内容が決定されたとき、該遊技内容に基づいて、複数の演出のうちいずれか一の演出に決定し、該決定された一の演出を実行可能な通常演出制御手段と、
前記通常演出制御手段による演出が行われた後、始動操作が行われるまでの間は遊技の進行を停止させて、前記決定された一の演出と異なる自在演出が実行可能とされる演出自在状態に制御する状態制御手段と、
前記演出自在状態においては、当該状態に制御されてから適宜のタイミングで前記自在演出を出現させることのできる特定の演出操作機会を遊技者に対して付与する興趣呼戻機会付与手段と、
前記特定の演出操作機会にて演出操作されたことに基づいて、前記演出自在状態において前記自在演出を出現させる制御を実行可能な自在演出制御手段と、
前記演出自在状態において前記自在演出を出現させたか否かにかかわらず、前記始動操作を通じて遊技の再開条件が満たされたときは、前記遊技の進行を再開させる状態復帰制御手段と
を備える遊技機であって、
前記興趣呼戻機会付与手段は、
前記特定の演出操作機会を複数回にわたって遊技者に対して付与可能とし、前記演出自在状態において複数回にわたって前記自在演出の出現を可能ならしめる複数機会付与手段を有するとともに、
前記遊技機は、
前記遊技者に対して前記特定の演出操作機会が付与されたことにより出現される自在演出を、前記一の演出とは異なる演出を含む複数の演出のなかから抽選で選択する演出抽選手段をさらに備えており、
前記自在演出制御手段は、
前記演出自在状態において出現される演出を、前記複数の演出のなかから抽選で選択された演出を前記自在演出として出現させうる手段を有する
ことを特徴とする遊技機。
【請求項２】
前記抽選手段は、
前記所定条件の成立に基づいて乱数を取得し、該取得した乱数を用いて前記抽選を行うものである
請求項１に記載の遊技機。
【請求項３】
前記通常演出制御手段により実行される演出及び前記自在演出制御手段により実行される自在演出が行われる液晶表示手段をさらに備える
請求項１または２に記載の遊技機。
【手続補正２】
【補正対象書類名】明細書
【補正対象項目名】０００６
【補正方法】変更
【補正の内容】
【０００６】
しかしながら、このような遊技機では、大当りの当選確率が極めて低く設定されることが多いことから、大当りの当選期待度の高い演出画像が現れる頻度は低くなりがちであり、このような演出だけでは要求される程度にまで遊技興趣の向上を図ることが困難とされている。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
手段１：所定条件の成立に基づいて抽選を行う抽選手段と、前記抽選手段による抽選に当選したことに基づいて各種の遊技内容を決定する遊技内容決定手段と、前記遊技内容決定手段により各種の遊技内容が決定されたとき、該遊技内容に基づいて、複数の演出のうちいずれか一の演出に決定し、該決定された一の演出を実行可能な通常演出制御手段と、前記通常演出制御手段による演出が行われた後、始動操作が行われるまでの間は遊技の進行を停止させて、前記決定された一の演出と異なる自在演出が実行可能とされる演出自在状態に制御する状態制御手段と、前記演出自在状態においては、当該状態に制御されてから適宜のタイミングで前記自在演出を出現させることのできる特定の演出操作機会を遊技者に対して付与する興趣呼戻機会付与手段と、前記特定の演出操作機会にて演出操作されたことに基づいて、前記演出自在状態において前記自在演出を出現させる制御を実行可能な自在演出制御手段と、前記演出自在状態において前記自在演出を出現させたか否かにかかわらず、前記始動操作を通じて遊技の再開条件が満たされたときは、前記遊技の進行を再開させる状態復帰制御手段とを備える遊技機であって、前記興趣呼戻機会付与手段は、前記特定の演出操作機会を複数回にわたって遊技者に対して付与可能とし、前記自在演出状態において複数回にわたって前記自在演出の出現を可能ならしめる複数機会付与手段を有するとともに、前記遊技機は、前記遊技者に対して前記特定の演出操作機会が付与されたことにより出現される自在演出を、前記一の演出とは異なる演出を含む複数の演出のなかから抽選で選択する演出抽選手段をさらに備えており、前記自在演出制御手段は、前記演出自在状態において出現される演出を、前記複数の演出のなかから抽選で選択された演出を前記自在演出として出現させうる手段を有することを特徴とする遊技機。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】